(57)【要約】  モバイルホットスポットの始動装置であって、ブルートゥースペアリングパスワードと予め設定された始動パスワードとをその前にWIFIによってモバイルホットスポットにアクセスする移動端末に送信するように設定されるパスワード送信モジュール、モバイルホットスポットの作業状態を検出するように設定される作業状態検出モジュール、モバイルホットスポットにユーザのアクセスがない及び/又はデータサービスを行わないと検出した際に、モバイルホットスポットがスリープ状態に入るようにトリガーするように設定されるスリープトリガーモジュール、モバイルホットスポットがスリープ状態にある際に、移動端末とブルートゥース接続を確立して、移動端末が送信したパスワードを受信するように設定されるブルートゥースモジュール、パスワードとローカルに記憶された始動パスワードとを比較し、比較結果が一致する際に、モバイルホットスポットが作業状態に入るように制御するように設定される始動制御モジュールを備える。本発明の実施例はモバイルホットスポットの始動方法及びシステムを更に提供する。本発明の実施例により、ユーザが手動でモバイルホットスポットを始動する必要せず、ユーザの使用エクスペリエンスを向上させ、同時にモバイルホットスポットの待機消費電力を低下させる。【選択図】図３
2016529757.tif 000002
【特許請求の範囲】
【請求項１】
ブルートゥースペアリングパスワードと予め設定された始動パスワードとをその前にWIFIによってモバイルホットスポットにアクセスする移動端末に送信するように設定されるパスワード送信モジュール、
モバイルホットスポットの作業状態を検出するように設定される作業状態検出モジュール、
モバイルホットスポットにユーザのアクセスがない及び/又はデータサービスを行わないと検出した際に、前記モバイルホットスポットがスリープ状態に入るようにトリガーするように設定されるスリープトリガーモジュール、
モバイルホットスポットがスリープ状態にある際に、移動端末とブルートゥース接続を確立し、移動端末がブルートゥース装置によって送信したパスワードを受信するように設定されるブルートゥースモジュール、
前記パスワードとローカルに記憶された始動パスワードとを比較し、比較結果が一致する場合に、モバイルホットスポットが作業状態に入るように制御するように設定される始動制御モジュールを備えるモバイルホットスポットの始動装置。
【請求項２】
前記スリープトリガーモジュールは、予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御するように設定される請求項1に記載のモバイルホットスポットの始動装置。
【請求項３】
前記ブルートゥースモジュールは、
時間周期でアクセスを要求するブルートゥース機器があるかどうかを検出するように設定される走査ユニット、
アクセスを要求するブルートゥース機器がある場合に、ブルートゥースモジュールが作業状態に入るように制御し、アクセスを要求するブルートゥース機器がない場合に、ブルートゥースモジュールが待機状態に入るように制御するように設定される制御ユニットを含む請求項2に記載のモバイルホットスポットの始動装置。
【請求項４】
前記ブルートゥースモジュールは、
モバイルホットスポットのパワーオン信号を収集して移動端末に送信するように設定されるパワーオン信号送受信ユニットを更に含む請求項1〜3のいずれか一項に記載のモバイルホットスポットの始動装置。
【請求項５】
請求項1〜4のいずれか一項に記載の制御装置を含むモバイルホットスポット。
【請求項６】
ブルートゥースペアリングパスワードと予め設定された始動パスワードとをその前にWIFIによってモバイルホットスポットにアクセスする移動端末に送信することと、
モバイルホットスポットの作業状態を検出することと、
モバイルホットスポットにユーザのアクセスがない及び/又はデータサービスを行わないと検出した際に、前記モバイルホットスポットがスリープ状態に入るようにトリガーすることと、
モバイルホットスポットがスリープ状態にある際に、移動端末とブルートゥース接続を確立し、移動端末がブルートゥース装置によって送信したパスワードを受信することと、
前記パスワードとローカルに記憶された始動パスワードとを比較し、比較結果が一致する場合に、モバイルホットスポットが作業状態に入るように制御することと、を含むモバイルホットスポットの始動方法。
【請求項７】
前記モバイルホットスポットがスリープ状態に入るようにトリガーするのは、
予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御することを含む請求項6に記載のモバイルホットスポットの始動方法。
【請求項８】
前記モバイルホットスポットがスリープ状態にある際に、移動端末とブルートゥース接続を確立するのは、
時間周期でアクセスを要求するブルートゥース機器があるかどうかを検出することと、
アクセスを要求するブルートゥース機器がある場合に、ブルートゥースモジュールが作業状態に入るように制御することと、
アクセスを要求するブルートゥース機器がない場合に、ブルートゥースモジュールが待機状態に入るように制御することと、を含む請求項7に記載のモバイルホットスポットの始動方法。
【請求項９】
モバイルホットスポットが作業状態に入るように制御することを実行した後に、
モバイルホットスポットのパワーオン信号を収集して移動端末に送信することを更に含む請求項6に記載のモバイルホットスポットの始動方法。
【請求項１０】
モバイルホットスポットの始動システムであって、移動端末とモバイルホットスポットを含み、前記モバイルホットスポットは請求項5に記載のモバイルホットスポットであり、前記移動端末は、
モバイルホットスポットが送信したブルートゥースペアリングパスワードと始動パスワードとを記憶するように設定される記憶モジュール、
モバイルホットスポットのブルートゥースモジュールと接続を確立した後に、前記始動パスワードをモバイルホットスポットに送信するように設定されるブルートゥース装置を含むモバイルホットスポットの始動システム。
【請求項１１】
前記移動端末は、
モバイルホットスポットが送信したパワーオン信号を取得するように設定されるパワーオン信号取得モジュール、
前記パワーオン信号に基づき該端末のWIFIモジュールを始動して、モバイルホットスポットにアクセスするように設定されるWIFIトリガーモジュールを更に含む請求項10に記載のモバイルホットスポットの始動システム。
【請求項１２】
前記移動端末は、
移動端末がモバイルホットスポットへのアクセスが成功した後にモバイルホットスポットアクセスパスワードを記録して、次回で自動的にモバイルホットスポットにアクセスするように設定されるWIFI記録モジュールを更に含む請求項11に記載のモバイルホットスポットの始動システム。
【請求項１３】
前記モバイルホットスポットは、
移動端末がモバイルホットスポットにアクセスする際に、ブルートゥース装置の閉めを制御するように設定されるブルートゥース装置制御モジュールを更に含む請求項11又は12に記載のモバイルホットスポットの始動システム。
【発明の詳細な説明】
【技術分野】
【０００１】
本発明は移動通信技術分野に関し、特にモバイルホットスポットの始動装置、方法及びシステムに関する。
【背景技術】
【０００２】
モバイルホットスポットは3G/4GネットワークをWIFIネットワークに変換して複数のユーザに共有して使用する技術的解決手段であり、そのネットワークが流暢であり、使用上で便利性があり、ユーザに大きく歓迎される。
【０００３】
従来、ほとんどのモバイルホットスポットはいずれも電池により給電され、高速率のデータ製品として、モバイルホットスポットのデータ処理量が大きく、消費電力が高く、長時間で作業状態にあると、電池が非常に短い時間内でなくなってしまう。モバイルホットスポットの電池が毎回の充電の後により長い時間で使用できるために、従来のモバイルホットスポットがよく用いた方法は、ユーザがモバイルホットスポットを使用しない際に、モバイルホットスポットが自己でシャットダウンし又は待機状態にあることである。待機時にモバイルホットスポットはWIFIを閉めてWIFIブロードキャストサービスセット識別子（Service Set Identifier、SSID）による電力消費を節約するとともに、基地局との間の通信を保留し、モバイルホットスポットのプロセッサは低消費電力の状態に入り、アクセス機能も閉められる。シャットダウン状態にあると、再起動にかかる時間が長く、ユーザエクスペリエンスが悪く、待機状態にあると、一旦、ユーザのインテリジェント端末はWIFIによってモバイルホットスポットにアクセスする必要があると、モバイルホットスポットのAP（Access Point、アクセスポイント）機能の閉めによってアクセスできなく、この場合、ユーザは手動でモバイルホットスポットのAP機能を始動して、ユーザのアクセスに供する必要がある。一旦モバイルホットスポット製品を置く位置が見つかりにくいと、始動できなく、ユーザの使用に数多くの不便をもたらし、ユーザエクスペリエンスが悪い。
【発明の概要】
【発明が解決しようとする課題】
【０００４】
本発明は、従来技術におけるモバイルホットスポットの待機時にユーザが手動でモバイルホットスポットを始動する必要がある技術問題を解決するためのモバイルホットスポットの始動方法を提供することを主な目的とする。
【課題を解決するための手段】
【０００５】
発明の目的を達成するために、本発明はモバイルホットスポットの始動装置を提供し、
ブルートゥースペアリングパスワードと予め設定された始動パスワードとをその前にWIFIによってモバイルホットスポットにアクセスする移動端末に送信するように設定されるパスワード送信モジュール、
モバイルホットスポットの作業状態を検出するように設定される作業状態検出モジュール、
モバイルホットスポットにユーザのアクセスがない及び/又はデータサービスを行わないと検出した際に、前記モバイルホットスポットがスリープ状態に入るようにトリガーするように設定されるスリープトリガーモジュール、
モバイルホットスポットがスリープ状態にある際に、移動端末とブルートゥース接続を確立し、移動端末がブルートゥース装置によって送信したパスワードを受信するように設定されるブルートゥースモジュール、
前記パスワードとローカルに記憶された始動パスワードとを比較し、比較結果が一致する場合に、モバイルホットスポットが作業状態に入るように制御するように設定される始動制御モジュールを備える。
【０００６】
好ましくは、前記スリープトリガーモジュールは、予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御するように設定される。
【０００７】
好ましくは、前記ブルートゥースモジュールは、
時間周期でアクセスを要求するブルートゥース機器があるかどうかを検出するように設定される走査ユニット、
アクセスを要求するブルートゥース機器がある場合に、ブルートゥースモジュールが作業状態に入るように制御し、アクセスを要求するブルートゥース機器がない場合に、ブルートゥースモジュールが待機状態に入るように制御するように設定される制御ユニットを含む。
【０００８】
好ましくは、前記ブルートゥースモジュールは、
モバイルホットスポットのパワーオン信号を収集して移動端末に送信するように設定されるパワーオン信号送受信ユニットを更に含む。
【０００９】
本発明はモバイルホットスポットの始動装置を含むモバイルホットスポットを更に提供する。該モバイルホットスポットの始動装置は、
ブルートゥースペアリングパスワードと予め設定された始動パスワードとをその前にWIFIによってモバイルホットスポットにアクセスする移動端末に送信するように設定されるパスワード送信モジュール、
モバイルホットスポットの作業状態を検出するように設定される作業状態検出モジュール、
モバイルホットスポットにユーザのアクセスがない及び/又はデータサービスを行わないと検出した際に、前記モバイルホットスポットがスリープ状態に入るようにトリガーするように設定されるスリープトリガーモジュール、
モバイルホットスポットがスリープ状態にある際に、移動端末とブルートゥース接続を確立し、移動端末がブルートゥース装置によって送信したパスワードを受信するように設定されるブルートゥースモジュール、
前記パスワードとローカルに記憶された始動パスワードとを比較し、比較結果が一致する場合に、モバイルホットスポットが作業状態に入るように制御するように設定される始動制御モジュールを備える。
【００１０】
本発明はモバイルホットスポットの始動方法を更に提供し、
ブルートゥースペアリングパスワードと予め設定された始動パスワードとをその前にWIFIによってモバイルホットスポットにアクセスする移動端末に送信することと、
モバイルホットスポットの作業状態を検出することと、
モバイルホットスポットにユーザのアクセスがない及び/又はデータサービスを行わないと検出した際に、前記モバイルホットスポットがスリープ状態に入るようにトリガーすることと、
モバイルホットスポットがスリープ状態にある際に、移動端末とブルートゥース接続を確立し、移動端末がブルートゥース装置によって送信したパスワードを受信することと、
前記パスワードとローカルに記憶された始動パスワードとを比較し、比較結果が一致する場合に、モバイルホットスポットが作業状態に入るように制御することと、を含む。
【００１１】
好ましくは、前記モバイルホットスポットがスリープ状態に入るようにトリガーするのは、
予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御することを含む。
【００１２】
好ましくは、前記モバイルホットスポットがスリープ状態にある際に、移動端末とブルートゥース接続を確立するのは、
時間周期でアクセスを要求するブルートゥース機器があるかどうかを検出することと、
アクセスを要求するブルートゥース機器がある場合に、ブルートゥースモジュールが作業状態に入るように制御することと、
アクセスを要求するブルートゥース機器がない場合に、ブルートゥースモジュールが待機状態に入るように制御することと、を含む。
【００１３】
好ましくは、モバイルホットスポットが作業状態に入るように制御することを実行した後に、
モバイルホットスポットのパワーオン信号を収集して移動端末に送信することを更に含む。
【００１４】
本発明は移動端末及びモバイルホットスポットを含むモバイルホットスポットの始動システムを更に提供し、前記モバイルホットスポットはモバイルホットスポットの始動装置を含む。該モバイルホットスポットの始動装置は、
ブルートゥースペアリングパスワードと予め設定された始動パスワードとをその前にWIFIによってモバイルホットスポットにアクセスする移動端末に送信するように設定されるパスワード送信モジュール、
モバイルホットスポットの作業状態を検出するように設定される作業状態検出モジュール、
モバイルホットスポットにユーザのアクセスがない及び/又はデータサービスを行わないと検出した際に、前記モバイルホットスポットがスリープ状態に入るようにトリガーするように設定されるスリープトリガーモジュール、
モバイルホットスポットがスリープ状態にある際に、移動端末とブルートゥース接続を確立し、移動端末がブルートゥース装置によって送信したパスワードを受信するように設定されるブルートゥースモジュール、
前記パスワードとローカルに記憶された始動パスワードとを比較し、比較結果が一致する場合に、モバイルホットスポットが作業状態に入るように制御するように設定される始動制御モジュールを含む。
【００１５】
前記移動端末は、
モバイルホットスポットが送信したブルートゥースペアリングパスワードと始動パスワードとを記憶するように設定される記憶モジュール、
モバイルホットスポットのブルートゥースモジュールと接続を確立した後に、前記始動パスワードをモバイルホットスポットに送信するように設定されるブルートゥース装置を含む。
【００１６】
好ましくは、前記移動端末は、
モバイルホットスポットが送信したパワーオン信号を取得するように設定されるパワーオン信号取得モジュール、
前記パワーオン信号に基づき自機のWIFIモジュールを始動して、モバイルホットスポットにアクセスするように設定されるWIFIトリガーモジュールを更に含む。
【００１７】
好ましくは、前記移動端末は、移動端末がモバイルホットスポットへのアクセスが成功した後にモバイルホットスポットアクセスパスワードを記録して、次回で自動的にモバイルホットスポットにアクセスするように設定されるWIFI記録モジュールを更に含む。
【００１８】
好ましくは、前記モバイルホットスポットは、
移動端末がモバイルホットスポットにアクセスする際に、ブルートゥース装置の閉めを制御するように設定されるブルートゥース装置制御モジュールを更に含む。
【発明の効果】
【００１９】
本発明の実施例のモバイルホットスポットはモバイルホットスポットにユーザのアクセスがない及び/又はデータサービスを行わないと検出した場合に、前記モバイルホットスポットがスリープ状態に入るようにトリガーし、モバイルホットスポットがスリープ状態にある際に、移動端末とブルートゥース接続を確立し、移動端末がブルートゥース装置によって送信したパスワードを受信し、且つパスワードとローカルに記憶された始動パスワードとを比較し、比較結果が一致する場合に、モバイルホットスポットが作業状態に入るように制御する。
【図面の簡単な説明】
【００２０】
【図１】図1は本発明の一実施例におけるモバイルホットスポットの始動装置の構造模式図である。
【図２】図2は本発明の一実施例におけるブルートゥースモジュールの構造模式図である。
【図３】図3は本発明の一実施例におけるモバイルホットスポットの始動方法のフローチャートである。
【図４】図4は本発明の一実施例におけるモバイルホットスポットがスリープ状態にある際に移動端末とブルートゥース接続を確立する作業工程の模式図である。
【図５】図5は本発明の一実施例におけるモバイルホットスポットの始動システムの構造模式図である。
【図６】図6は本発明の他の実施例におけるモバイルホットスポットの始動システムの構造模式図である。
【発明を実施するための形態】
【００２１】
実施例を結合して図面を参照し、本発明の目的の実現、機能特点及び利点を更に説明する。
ここで述べた具体的な実施例は本発明を制限するものではなく、本発明を説明するものだけであることを理解すべきである。
【００２２】
図1を参照し、図1は本発明のモバイルホットスポットの始動装置の一実施例の構造模式図である。該実施例において、モバイルホットスポット1の制御装置は、
ブルートゥースペアリングパスワードと予め設定された始動パスワードとをその前にWIFIによってモバイルホットスポット1にアクセスする移動端末2に送信するためのパスワード送信モジュール10、
モバイルホットスポット1の作業状態を検出するための作業状態検出モジュール20、
モバイルホットスポット1にユーザのアクセスがない及び/又はデータサービスを行わないと検出した場合に、モバイルホットスポット1がスリープ状態に入るようにトリガーするためのスリープトリガーモジュール30、
モバイルホットスポット1がスリープ状態にある際に、移動端末2とブルートゥース接続を確立して、移動端末2がブルートゥース装置によって送信したパスワードを受信するためのブルートゥースモジュール40、
前記パスワードとローカルに記憶された始動パスワードとを比較し、且つ比較結果が一致する場合に、モバイルホットスポット1が作業状態に入るように制御するための始動制御モジュール50を含む。
【００２３】
本発明の実施例において、ユーザはモバイルホットスポット1のために始動パスワードを予め設定してモバイルホットスポット1に記憶することができる。移動端末2が初めてモバイルホットスポット1にアクセスする際に、モバイルホットスポット1は始動パスワードとブルートゥースペアリングパスワードとを移動端末2に送信し、移動端末2は該始動パスワードとブルートゥースペアリングパスワードとを記憶して次回でモバイルホットスポット1にアクセスするようにする。
【００２４】
モバイルホットスポットを低消費電力状態にさせ、ユーザの節電のために、モバイルホットスポットを始動する前に、モバイルホットスポットの状態を検出することができ、検出結果に基づきモバイルホットスポットがスリープ状態にあるように制御する。スリープトリガーモジュール30はモバイルホットスポット1にWIFI端末のアクセスがなく、及び/又はシステムプロトコルスタックがデータサービスを行い続けない際に、モバイルホットスポット1がスリープ状態に入るようにトリガーし、モバイルホットスポット1がスリープ状態に入る際に、モバイルホットスポット1のCPUは極めて低い消費電力で運転し、WIFIモジュールが閉められ、タイマーが停止され、CPUが低速クロック状態に入り、同時に、モバイルホットスポット1のスクリーンとその他の電力消費モジュールも閉められる。
【００２５】
モバイルホットスポット1がスリープ状態にある際に、ブルートゥースモジュール40は周囲のブルートゥース機器を走査し、モバイルホットスポット1にアクセスしたいその他のブルートゥース機器（例えば移動端末）がある際に、その他のブルートゥース機器とブルートゥースペアリングを完成する。ペアリングが成功した後に、移動端末2はブルートゥース機器によって始動パスワードをモバイルホットスポット1に送信することができる。始動制御モジュール50は移動端末2が送信してきた始動パスワードとモバイルホットスポット1に記憶された始動パスワードとを比較し、両者が一致すると、モバイルホットスポット1のブルートゥースモジュール40はモバイルホットスポット1のCPUに命令を送信し、CPUとWIFIモジュールを始動し、LCDスクリーンを点灯し、モバイルホットスポット1を作業状態に入らせる。
【００２６】
本発明の実施例は始動パスワードを予め設定して、始動パスワードをWIFIによってアクセスした移動端末に送信することによって、モバイルホットスポットがスリープ状態に入る際に、ブルートゥース技術を利用して移動端末が送信した始動パスワードを受信し、且つ比較によってユーザ身元を検証することによって、ユーザが初めてモバイルホットスポット1へのアクセスが成功すると、続いてモバイルホットスポット1がスリープ状態にある際にモバイルホットスポット1をトリガーして始動することができる。本発明は短距離でモバイルホットスポットの始動を制御して、ユーザが手動でモバイルホットスポットを始動する必要せず、ユーザの使用エクスペリエンスを向上させ、同時にモバイルホットスポットの待機消費電力を更に低下させ、ユーザの使用時間を延長させ、非常に良好な応用将来性を有する。
【００２７】
本発明の実施例において、スリープトリガーモジュール30は、予め設定された時間間隔でWIFIによってモバイルホットスポット1にアクセスしたい移動端末2があるかどうかを検出し、ないと、モバイルホットスポット1のブルートゥースモジュール40を除いた他の電力消費モジュールがスリープ状態に入るように制御することに更に用いられる。例えば、スリープトリガーモジュール30は一定の時間を超えてWIFIユーザのアクセスがないと検出すると、スリープ要求を始動制御モジュール50に発送し、始動制御モジュール50はスリープ要求を受信した後に、CPUなどがスリープ状態に入るように制御する。また、スリープトリガーモジュール30はシステムプロトコルスタックを検出することもでき、システムプロトコルスタックがデータサービスを行い続けないと、始動制御モジュール50にスリープ要求も発送する。
【００２８】
図2を参照し、本発明の他の実施例において、ブルートゥースモジュール40は、
時間周期でアクセスを要求するブルートゥース機器があるかどうかを検出するための走査ユニット41、
アクセスを要求するブルートゥース機器がある場合に、ブルートゥースモジュール40が作業状態に入るように制御し、アクセスを要求するブルートゥース機器がない場合に、ブルートゥースモジュール40が待機状態に入るように制御するための制御ユニット42を含む。
【００２９】
本発明の実施例において、ブルートゥースモジュール40が待機状態に入るのは、ブルートゥースモジュール40の主電力消費モジュール、例えばCPU等が低消費電力状態に入ることを指す。ブルートゥースモジュール40が長期間で作業状態にあると電力も消費することを考えて、本発明の実施例において、アクセスを要求するブルートゥース機器がない場合に、ブルートゥースモジュール40が待機状態に入るように制御することにより、モバイルホットスポットの消費電力を低下させる。
【００３０】
更に、本発明の一実施例において、ブルートゥースモジュール40は、モバイルホットスポット1のパワーオン信号を収集して移動端末2に送信するためのパワーオン信号送受信ユニット43を更に含む。本発明の実施例において、モバイルホットスポット1が作業状態に入った後に、モバイルホットスポット1のCPUはパワーオン信号をブルートゥースモジュール40に出力でき、ブルートゥースモジュール40におけるパワーオン信号送受信ユニット43は該パワーオン信号を収集して移動端末2に送信し、モバイルホットスポット1が既に作業状態にあり、アクセスできることを移動端末2に通知する。
【００３１】
本発明の実施例はモバイルホットスポットを更に提供し、上記モバイルホットスポットの始動装置を含む。本発明の実施例において、モバイルホットスポットの始動装置の構造ブロック図と作業原理については図1、図2及び対応する実施例を参照でき、前記実施例のすべての技術特徴を含み、ここで省略する。前記モバイルホットスポットの始動装置を備えるため、本発明のモバイルホットスポットは短距離の始動を実現でき、ユーザが手動でモバイルホットスポットを始動する必要せず、ユーザの使用エクスペリエンスを向上させ、同時にモバイルホットスポットの待機消費電力を更に低下させ、ユーザの使用時間を延長させ、非常に良好な応用将来性を有する。
【００３２】
本発明の実施例はモバイルホットスポットの始動方法を更に提供し、該方法は前記モバイルホットスポットに基づいて実現できる、図3に示すように、本発明の一実施例において、モバイルホットスポットの始動方法は、以下のステップS10〜S50を含む。
【００３３】
ステップS10、ブルートゥースペアリングパスワードと予め設定された始動パスワードとをその前にWIFIによってモバイルホットスポットにアクセスする移動端末に送信する。本発明の実施例において、ユーザはモバイルホットスポットのために始動パスワードを予め設定してモバイルホットスポット1に記憶することができる。移動端末が初めてモバイルホットスポットにアクセスする際に、モバイルホットスポットはブルートゥースペアリングパスワードと始動パスワードとを移動端末に送信し、移動端末は該始動パスワードを記憶して、次回でモバイルホットスポットにアクセスするようにする。
【００３４】
ステップS20、モバイルホットスポットの作業状態を検出する。モバイルホットスポットを低消費電力状態にさせ、ユーザの節電のために、モバイルホットスポットを始動する前に、モバイルホットスポットの状態を検出することができ、検出結果に基づきモバイルホットスポットがスリープ状態にあるように制御する。
【００３５】
ステップS30、モバイルホットスポットにユーザのアクセスがない及び/又はデータサービスを行わないと検出した際に、前記モバイルホットスポットがスリープ状態に入るようにトリガーし、該モバイルホットスポットにユーザのアクセスがない及び/又はデータサービスを行わないと検出した場合に、モバイルホットスポットがスリープ状態に入るようにトリガーする。モバイルホットスポットがスリープ状態に入る際に、モバイルホットスポットのCPUは極めて低い消費電力で運転し、WIFIモジュールが閉められ、タイマーが停止され、CPUが低速クロック状態に入り、同時に、モバイルホットスポットのスクリーンとその他の電力消費モジュールも閉められる。
【００３６】
ステップS40、モバイルホットスポットがスリープ状態にある際に、移動端末とブルートゥース接続を確立し、移動端末がブルートゥース装置によって送信したパスワードを受信し、モバイルホットスポットがスリープ状態にある際に、モバイルホットスポットのブルートゥースモジュールは周囲のブルートゥース機器を走査し、モバイルホットスポットにアクセスしたいその他のブルートゥース機器（例えば移動端末）がある際に、その他のブルートゥース機器とブルートゥースペアリングを完成する。ペアリングが成功した後に、移動端末はブルートゥース機器によって始動パスワードをモバイルホットスポットに送信することができる。
【００３７】
ステップS50、前記パスワードとローカルに記憶された始動パスワードとを比較し、比較結果が一致する場合に、モバイルホットスポットが作業状態に入るように制御する。例えば、モバイルホットスポットの始動装置における始動制御モジュールは移動端末が送信してきた始動パスワードとモバイルホットスポットに記憶された始動パスワードとを比較し、両者が一致すると、モバイルホットスポットのブルートゥースモジュールはモバイルホットスポットのCPUに命令を送信し、CPUとWIFIモジュールを始動し、LCDスクリーンを点灯し、モバイルホットスポットを作業状態に入らせる。
【００３８】
本発明の実施例において、モバイルホットスポットがスリープ状態に入るようにトリガーするのは、
予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御することを含む。例えば、スリープトリガーモジュールは一定の時間を超えてWIFIユーザのアクセスがないと検出すると、スリープ要求を始動制御モジュールに発送し、始動制御モジュールはスリープ要求を受信した後に、CPUなどがスリープ状態に入るように制御する。また、スリープトリガーモジュールはシステムプロトコルスタックを検出することもでき、システムプロトコルスタックがデータサービスを行い続けないと、始動制御モジュールにスリープ要求も発送する。
【００３９】
図4に示すように、本発明の実施例において、上記ステップS40は、
時間周期でアクセスを要求するブルートゥース機器があるかどうかを検出するステップS41、
アクセスを要求するブルートゥース機器がある場合に、ブルートゥースモジュールが作業状態に入るように制御するステップS42、
アクセスを要求するブルートゥース機器がない場合に、ブルートゥースモジュールが待機状態に入るように制御するステップS43を含むことができる。
【００４０】
本発明の実施例において、ブルートゥースモジュールが待機状態に入るのは、ブルートゥースモジュールの主電力消費モジュール、例えばCPU等が低消費電力状態に入ることを指す。ブルートゥースモジュールが長期間で作業状態にあると電力も消費することを考えて、本発明の実施例において、アクセスを要求するブルートゥース機器がない場合に、ブルートゥースモジュールが待機状態に入るように制御することにより、モバイルホットスポットの消費電力を低下させる。
【００４１】
一つの好ましい実施例において、モバイルホットスポットが作業状態に入るように制御することを実行した後に、
モバイルホットスポットのパワーオン信号を収集して移動端末に送信することを更に含む。
【００４２】
本発明の実施例において、モバイルホットスポットが作業状態に入った後に、モバイルホットスポットのCPUはパワーオン信号をブルートゥースモジュールに出力でき、ブルートゥースモジュールにおけるパワーオン信号送受信ユニットは該パワーオン信号を収集して移動端末に送信し、モバイルホットスポットが既に作業状態にあり、アクセスできることを移動端末に通知する。
【００４３】
本発明はモバイルホットスポットの始動システムを更に提供し、図5に示すように、該制御システムは前記移動端末2とモバイルホットスポット1を含み、モバイルホットスポット1は前記モバイルホットスポットの始動装置を含む。本発明の実施例において、モバイルホットスポットの始動装置の構造ブロック図と作業原理については図1、図2及び対応する実施例を参照でき、前記実施例のすべての技術特徴を含み、ここで省略する。
【００４４】
本発明の実施例において、移動端末2は、
モバイルホットスポット1が送信したブルートゥースペアリングパスワードと始動パスワードとを記憶するための記憶モジュール21、
モバイルホットスポットのブルートゥースモジュールと接続を確立した後に、前記始動パスワードをモバイルホットスポット1に送信するためのブルートゥース装置22を含む。
【００４５】
本発明の実施例において、移動端末2は携帯電話、タブレット等であってよく、初めてモバイルホットスポットにアクセスしたい際に、移動端末2は周囲のWIFI信号を検索し、モバイルホットスポット1が送信したWIFI信号を受信して、アクセスパスワードを入力し、このパスワードを記憶し、モバイルホットスポット1にアクセスする。初めてWIFIによってモバイルホットスポット1にアクセスした後に、モバイルホットスポット1はブルートゥースペアリングパスワードと始動パスワードとを移動端末2に送信するようになり、この時、移動端末2における記憶モジュール21は該ブルートゥースペアリングパスワードと始動パスワードとを記憶する。次回でモバイルホットスポット1にアクセスする際に、モバイルホットスポット1がスリープ状態にあると、ブルートゥース装置22はブルートゥースペアリングパスワードによってモバイルホットスポット1のブルートゥースモジュール40と接続を確立して、且つ始動パスワードをモバイルホットスポット1に送信し、モバイルホットスポット1を始動するようにする。
【００４６】
図6に示すように、本発明の一実施例において、移動端末2は、
モバイルホットスポットが送信したパワーオン信号を取得するためのパワーオン信号取得モジュール23、
前記パワーオン信号に基づき自機のWIFIモジュールを始動して、モバイルホットスポットにアクセスするためのWIFIトリガーモジュール24を更に含む。
【００４７】
本発明の実施例において、パワーオン信号取得モジュール23はモバイルホットスポット1が送信してきたパワーオン信号を取得して、モバイルホットスポットのWIFIモジュールがオンされるかどうかを判断し、WIFIモジュールがオンされたと、移動端末2の自機WIFI装置を始動して、モバイルホットスポット1のWIFI信号を検索して、モバイルホットスポットのWIFIアクセスパスワードを入力して、モバイルホットスポットにアクセスする。
【００４８】
本実施例において、移動端末2は、
移動端末2がモバイルホットスポット1へのアクセスが成功した後にモバイルホットスポット1のアクセスパスワードを記録して、次回で自動的にモバイルホットスポット1にアクセスするようにするためのWIFI記録モジュール25を更に含むことができる。本発明の実施例において、WIFI記録モジュール25が設けられるため、移動端末2は次回でWIFIによってモバイルホットスポット1にアクセスしたい際に自動的にモバイルホットスポット1にアクセスすることができ、アクセス過程はもっと簡単で簡便であり、ユーザエクスペリエンスを更に向上させる。
【００４９】
本発明の実施例において、移動端末2は、移動端末2がモバイルホットスポット1にアクセスする際に、ブルートゥース装置の閉めを制御するためのブルートゥース装置制御モジュール26を更に含む。移動端末2は既にWIFIによってモバイルホットスポット1にアクセスして、両者の間の通信はWIFIによって実現できるため、本発明の実施例はブルートゥース装置制御モジュール26を設定することによって移動端末2のブルートゥース装置の閉めを制御し、移動端末2の節電を実現するようにする。
【００５０】
以上のものは本発明の好ましい実施例だけであり、本発明の特許範囲を制限するものではなく、本発明の明細書及び図面の内容に応じて行われた等価な構造又は等価な手順変換、又は直接又は間接にその他の関連する技術分野に適用されるものである限り、いずれも同様に本発明の特許保護範囲内に含まれる。
【産業上の利用可能性】
【００５１】
関連技術と比べて、本発明の実施例は短距離でモバイルホットスポットの始動を制御して、ユーザが手動でモバイルホットスポットを始動する必要せず、ユーザの使用エクスペリエンスを向上させ、同時にモバイルホットスポットの待機消費電力を更に低下させ、ユーザの使用時間を延長させ、非常に良好な応用将来性を有する。
【図１】
2016529757.tif 000003
【図２】
2016529757.tif 000004
【図３】
2016529757.tif 000005
【図４】
2016529757.tif 000006
【図５】
2016529757.tif 000007
【図６】
2016529757.tif 000008
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ブルートゥースペアリングパスワードと予め設定された始動パスワードとをその前にWIFIによってモバイルホットスポットにアクセスする移動端末に送信するように設定されるパスワード送信モジュール、
モバイルホットスポットの作業状態を検出するように設定される作業状態検出モジュール、
モバイルホットスポットにユーザのアクセスがない及び/又はデータサービスを行わないと検出した際に、前記モバイルホットスポットがスリープ状態に入るようにトリガーするように設定されるスリープトリガーモジュール、
モバイルホットスポットがスリープ状態にある際に、移動端末とブルートゥース接続を確立し、移動端末がブルートゥース装置によって送信したパスワードを受信するように設定されるブルートゥースモジュール、
前記パスワードとローカルに記憶された始動パスワードとを比較し、比較結果が一致する場合に、モバイルホットスポットが作業状態に入るように制御するように設定される始動制御モジュールを備えるモバイルホットスポットの始動装置。
【請求項２】
前記スリープトリガーモジュールは、予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御するように設定される請求項1に記載のモバイルホットスポットの始動装置。
【請求項３】
前記ブルートゥースモジュールは、
時間周期でアクセスを要求するブルートゥース機器があるかどうかを検出するように設定される走査ユニット、
アクセスを要求するブルートゥース機器がある場合に、ブルートゥースモジュールが作業状態に入るように制御し、アクセスを要求するブルートゥース機器がない場合に、ブルートゥースモジュールが待機状態に入るように制御するように設定される制御ユニットを含む請求項2に記載のモバイルホットスポットの始動装置。
【請求項４】
前記ブルートゥースモジュールは、
モバイルホットスポットのパワーオン信号を収集して移動端末に送信するように設定されるパワーオン信号送受信ユニットを更に含む請求項1〜3のいずれか一項に記載のモバイルホットスポットの始動装置。
【請求項５】
請求項1〜4のいずれか一項に記載の始動装置を含むモバイルホットスポット。
【請求項６】
ブルートゥースペアリングパスワードと予め設定された始動パスワードとをその前にWIFIによってモバイルホットスポットにアクセスする移動端末に送信することと、
モバイルホットスポットの作業状態を検出することと、
モバイルホットスポットにユーザのアクセスがない及び/又はデータサービスを行わないと検出した際に、前記モバイルホットスポットがスリープ状態に入るようにトリガーすることと、
モバイルホットスポットがスリープ状態にある際に、移動端末とブルートゥース接続を確立し、移動端末がブルートゥース装置によって送信したパスワードを受信することと、
前記パスワードとローカルに記憶された始動パスワードとを比較し、比較結果が一致する場合に、モバイルホットスポットが作業状態に入るように制御することと、を含むモバイルホットスポットの始動方法。
【請求項７】
前記モバイルホットスポットがスリープ状態に入るようにトリガーするのは、
予め設定された時間間隔でWIFIによってモバイルホットスポットにアクセスしたい移動端末があるかどうかを検出し、ないと、モバイルホットスポットのブルートゥースモジュールを除いた他の電力消費モジュールがスリープ状態に入るように制御することを含む請求項6に記載のモバイルホットスポットの始動方法。
【請求項８】
前記モバイルホットスポットがスリープ状態にある際に、移動端末とブルートゥース接続を確立するのは、
時間周期でアクセスを要求するブルートゥース機器があるかどうかを検出することと、
アクセスを要求するブルートゥース機器がある場合に、ブルートゥースモジュールが作業状態に入るように制御することと、
アクセスを要求するブルートゥース機器がない場合に、ブルートゥースモジュールが待機状態に入るように制御することと、を含む請求項7に記載のモバイルホットスポットの始動方法。
【請求項９】
モバイルホットスポットが作業状態に入るように制御することを実行した後に、
モバイルホットスポットのパワーオン信号を収集して移動端末に送信することを更に含む請求項6に記載のモバイルホットスポットの始動方法。
【請求項１０】
モバイルホットスポットの始動システムであって、移動端末とモバイルホットスポットを含み、前記モバイルホットスポットは請求項5に記載のモバイルホットスポットであり、前記移動端末は、
モバイルホットスポットが送信したブルートゥースペアリングパスワードと始動パスワードとを記憶するように設定される記憶モジュール、
モバイルホットスポットのブルートゥースモジュールと接続を確立した後に、前記始動パスワードをモバイルホットスポットに送信するように設定されるブルートゥース装置を含むモバイルホットスポットの始動システム。
【請求項１１】
前記移動端末は、
モバイルホットスポットが送信したパワーオン信号を取得するように設定されるパワーオン信号取得モジュール、
前記パワーオン信号に基づき該端末のWIFIモジュールを始動して、モバイルホットスポットにアクセスするように設定されるWIFIトリガーモジュールを更に含む請求項10に記載のモバイルホットスポットの始動システム。
【請求項１２】
前記移動端末は、
移動端末がモバイルホットスポットへのアクセスが成功した後にモバイルホットスポットアクセスパスワードを記録して、次回で自動的にモバイルホットスポットにアクセスするように設定されるWIFI記録モジュールを更に含む請求項11に記載のモバイルホットスポットの始動システム。
【請求項１３】
前記モバイルホットスポットは、
移動端末がモバイルホットスポットにアクセスする際に、ブルートゥース装置の閉めを制御するように設定されるブルートゥース装置制御モジュールを更に含む請求項11又は12に記載のモバイルホットスポットの始動システム。
【国際調査報告】
2016529757.tif 000009
2016529757.tif 000010
2016529757.tif 000011
2016529757.tif 000012